(57)【要約】      （修正有）【課題】防水性の手袋とブラシを一体化させて、特に、自動車ホイールの凹部や穴の洗浄に好適な器具を提供する。  【解決手段】防水性のある手袋本体１０と、前記手袋本体の少なくとも一の指部分の先端に先端方向に向うように植毛されるブラシ２１，２２，２３，２４とから洗浄用手袋を構成する。このような構成により、装着した手袋の指先部分に先端方向に向ってブラシが植毛されているので、洗浄対象物の凹部や穴にこの指部分を差し入れることでブラシを無理なく凹部や穴内部に挿入することができ、対応する指を動かすことで容易に汚れ等を擦り落とすことができる。【選択図】図１
0003119097.tif 000002
【実用新案登録請求の範囲】
【請求項１】
防水性のある手袋本体と、
前記手袋本体の少なくとも一の指部分の先端に先端方向に向うように植毛されるブラシと
を有する洗浄用手袋。
【請求項２】
前記ブラシが植毛される指部分は人差し指に対応する指部分が含まれる請求項１に記載の洗浄用手袋。
【請求項３】
前記洗浄用手袋において、さらに
前記手袋本体の掌側に設けられる洗浄部材を有する
請求項１又は２に記載の洗浄用手袋。
【請求項４】
前記洗浄用手袋は、表裏が対象に形成されるものであって、前記洗浄部材が表裏の双方に設けられるものである請求項３に記載の洗浄用手袋。
【考案の詳細な説明】
【技術分野】
【０００１】
本考案は、車などの洗浄に用いる手袋に関する。
【背景技術】
【０００２】
自動車のホイールは、泥はねを受けたり、車体からの油分が付着したりするために非常に汚れやすく、また、汚れも落ちにくい。特に、ホイールには、ナットが納まる穴やデザイン状の凹部が設けられており、このような凹部等には埃や泥などがつまりやすい。このような凹部等の洗浄は、通常、場合歯ブラシなどの小さなブラシを用いて洗浄することが多い。
【考案の開示】
【考案が解決しようとする課題】
【０００３】
しかし、一般的なブラシは柄の先端に対して先端方向にほぼ垂直にブラシが植毛されているので、穴や凹部の内部を洗浄しようとすると柄がホイール面とほぼ平行になるために柄を持つと指が邪魔になってブラシをうまく穴の内部に挿入することができない。
一方、洗浄に際しては通常は防水性の手袋を手にはめて行うので手袋とブラシとを一体化すれば利便性が高くなると考えられる。
本考案は、かかる問題に鑑みて、防水性の手袋とブラシを一体化させて、特に、自動車ホイールの凹部や穴の洗浄に好適な器具を提供することを課題とする。
【課題を解決するための手段】
【０００４】
上記課題を解決するために、本考案は次のような構成を有する。
請求項１に記載の考案は、防水性のある手袋本体と、前記手袋本体の少なくとも一の指部分の先端に先端方向に向うように植毛されるブラシとを有する洗浄用手袋である。
請求項２に記載の考案は、前記洗浄用手袋において前記ブラシが植毛される指部分は人差し指に対応する指部分が含まれるものである。
請求項３に記載の考案は、前記洗浄用手袋において、さらに、前記手袋本体の掌側に設けられる洗浄部材を有するものである。なお、洗浄部材とは、洗浄に際して対象物から汚れを擦り落とす部材であり、ブラシ、スポンジ、雑巾などが例示される。
請求項４に記載の考案は、請求項３に記載の洗浄用手袋において、前記洗浄用手袋は表裏が対象に形成されるものであり、前記洗浄部材が表裏の双方に設けられるものである。
【考案の効果】
【０００５】
請求項１に記載の考案は、装着した手袋の指先部分に先端方向に向ってブラシが植毛されているので、洗浄対象物の凹部や穴にこの指部分を差し入れることでブラシを無理なく凹部や穴内部に挿入することができ、対応する指を動かすことで容易に汚れ等を擦り落とすことができる。
請求項２に記載の考案は、回転がもっともしやすい人差し指に対応する指部分にブラシが設けられているので、凹部や穴の洗浄をより効率よく行うことができる。
請求項３に記載の考案は、手袋本体の掌側に洗浄部材が設けられているので、対象物の凹部や穴でない表面部分はこの洗浄部材により洗浄することで広い面を効率よく洗浄することができ、より作業効率を高くすることができる。
請求項４に記載の考案は、洗浄用手袋が表裏対象に形成されるものであるので、左右どちらの手にも装着することができ、さらに、洗浄部材が表裏に設けられているので、左右のどちらに装着しても掌側に洗浄部材が存在することになる。従って、左右双方を区別して製造する必要がなくなるので、コストの低減を図ることができ、また、使用者にとっても左右を区別して使用する必要がなくなり利便性が高くなる。
【考案を実施するための最良の形態】
【０００６】
以下、本考案の実施形態について、図を参照しながら説明する。
図１に実施形態に係る洗浄用手袋Ｘの斜視図を示す。この洗浄用手袋Ｘはゴム製の防水性のある手袋本体１０と、手袋本体１０の人差し指、中指、薬指、親指を構成する指部分の先端にそれぞれ植毛されるブラシ２１、２２、２３、２４と、手袋本体の掌側に設けられる。掌と５本の指の前面をかたどった薄いスポンジにより形成される洗浄部材３０とから構成される。
各ブラシ２１、２２、２３、２４は、設けられている各指部分の先端方向に向って植毛されており、ここでは、細く弾性のある繊維を束ねたものをそれぞれの指に５束ずつ植毛している。また、植毛した各繊維の根元は防水のための加工が施されている。
なお、図１には左手用の洗浄用手袋Ｘを示したが、対称に形成することで右手用の洗浄用手袋Ｘを構成することができることは言うまでも無い。
【０００７】
次に、このような構成を有する洗浄用手袋Ｘの使用方法について説明する。ここでは、自動車のホイールを洗浄する場合について説明する。使用者は左右の手に洗浄用手袋Ｘをはめて、バケツなどに入れた洗浄液中に洗浄用手袋Ｘごと浸して、洗浄部材３０およびブラシ２１、２２、２３、２４に洗浄液をしみこませる。この状態で、まず、自動車のホイールの表面を掌と指の腹でなぜるように動かすことで、洗浄部材３０によりホイールの表面の汚れを擦り落とす。次に、ホイールの凹部や穴などに適宜指先を突っ込んでかき回すようにすることでブラシ２１、２２、２３、２４の先端を凹部や穴の内面に擦りつけて、汚れを掻き落とす。汚れが十分に落ちたら水をかけて汚れを流し、その後乾燥させて洗浄作業を終了する。
このように本実施形態に係る洗浄用手袋Ｘは、手を保護するための手袋に洗浄器具が設けられているので、他の洗浄器具を要することなく洗浄することができる。また、指先に設けられた指先方向へ向うブラシにより、凹部や穴部に対して指先を突っ込むようにして洗浄ができ、さらに、洗浄部材により手で擦るの感覚で洗浄することができるので、作業を比較的楽に行うことができる。
【０００８】
なお、上記実施形態では、洗浄部材３０は手袋本体１０の表側（掌側）のみに設けているが、手袋本体１０が表裏が対象となるように形成されている場合は、洗浄部材３０を手袋本体１０の裏側にも設けることができる。このようにすると、同じ形状の洗浄用手袋を左右の手で使用することができる。
また、上記実施形態では、洗浄用手袋Ｘを用いて自動車のホイールを洗浄する場合を例に挙げたが、洗浄用手袋Ｘはこれ以外のものの洗浄にも使用できることはいうまでもない。
【図面の簡単な説明】
【０００９】
【図１】実施形態に係る洗浄用手袋を示す斜視図である。
【符号の説明】
【００１０】
Ｘ  洗浄用手袋
１０  手袋本体
２１、２２、２３、２４  ブラシ  
３０  洗浄部材
【図１】
0003119097.tif 000003